(57)【要約】  本発明は、人体の胸部の周りに着用する胸部サポートベルトであって、使用の際、ベース部材のコネクタ端部部分に第１の端部で接続されるストラップを具備し、ストラップの第２の端部は、滑動グリップに取り付けられ、かつ、ベース部材のガイド端部部分からガイドされ、ガイド端部部分は、ベース部材のガイド面を覆って、コネクタ端部の方向に、ローラ部材まで、及び、ローラ部材に沿って、ガイド端部部分の方向に戻るように、コネクタ端部部分に対向して配置され、摺動グリップは、ベース部材に沿って摺動することができ、ベース部材は、ガイド端部部分の近くに、ベース部材のガイド面に固定された固定グリップを有し、ストラップの引っ張られていない状態で、固定グリップが、摺動グリップから５〜２５ｃｍの、好ましくは１０〜２０ｃｍの間隔のところに配置されている胸部サポートベルトに関する。
2012514489.tif 000002
【特許請求の範囲】
【請求項１】
人体の胸部の周りに着用する胸部サポートベルト（１）であって、
使用の際、ベース部材（３）のコネクタ端部部分（９）に第１の端部（５）で接続されるストラップ（２）を具備し、
前記ストラップ（２）の第２の端部（１９）は、摺動グリップ（１５）に取着され、かつ、前記ベース部材（３）のガイド端部部分（２１）からガイドされ、
前記ガイド端部部分は、前記ベース部材のガイド面（３３）を覆って、前記コネクタ端部部分（９）の方向に、ローラ部材（３５）まで、及び、前記ローラ部材（３５）に沿って、前記ガイド端部部分（２１）の方向に戻るように、前記コネクタ端部部分（９）に対向して配置され、
前記摺動グリップ（１５）は、前記ベース部材（３）に沿って摺動することができ、
前記ベース部材は、前記ガイド端部部分（２１）の近くに、ベース部材（３）の前記ガイド面（３３）に固定された固定グリップ（１７）を有し、
前記ストラップ（２）の引っ張られていない状態で、固定グリップ（１７）が、前記摺動グリップ（１５）から５ないし２５ｃｍの、好ましくは１０ないし２０ｃｍの間隔（Ｄ）のところに配置されている胸部サポートベルト（１）。
【請求項２】
前記摺動グリップ（１５）は、スリット（３８）を有し、前記ストラップ（２）は、このスリットを通してガイドされ、前記スリットは、前記ストラップとほぼ同じ幅を有する請求項１の胸部サポートベルト（１）。
【請求項３】
前記ストラップ（２）は、前記ローラ部材（３５）に向かって、前記ガイド端部部分（２１）から前記ベース部材（３）の第２のスリット（３０，３１）を通ってガイドされる請求項１又は２の胸部サポートベルト（１）。
【請求項４】
前記ベース部材（３）は、前記コネクタ端部部分（９）の近くに、第１のコネクタ部材（１３）を有し、前記第１のコネクタ部材は、前記ストラップ（１２）の前記第１の端部（５）に取着された第２のコネクタ部材（７）と協働する請求項１ないし３のいずれか１の胸部サポートベルト（１）。
【請求項５】
前記ベース部材（３）は、前記ローラ部材（３５）の近くに、枢動レバー（４２）を有し、前記枢動レバー（４２）は、前記ローラ部材（３５）と前記ガイド面（３３）との少なくとも一方とクランプ係合するように、クランピング面（４４）に対して枢動されることができる請求項１ないし４のいずれか１の胸部サポートベルト（１）。
【請求項６】
前記ベース部材（３）は、支持面（５３）を規定している第１及び第２の端部（５０，５１）と、前記支持面から所定の間隔のところに配置された中間セクション（５２）とを備えた湾曲面（３３）を有する請求項１ないし５のいずれか１の胸部サポートベルト（１）。
【発明の詳細な説明】
【技術分野】
【０００１】
本発明は、胸部に外科手術を受けた患者の胸部の周りに着用されることができる胸部サポートベルトに関する。
【背景技術】
【０００２】
患者が、例えば、心臓外科手術のような胸部の外科手術を受けたとき、患者の肋骨は、胸骨に沿って切り開かれて、心臓外科手術の完了の後に、ワイヤを使用して再び取着される必要がありうる。この結果として生じる外傷は、数週の期間にわたって治療する必要がある。この間、まっすぐな姿勢を取ったり、ベッドから出たり、くしゃみをしたりするような患者の特定の動作は、胸部の傷が圧迫されるので、かなり痛みを伴う。
【０００３】
胸部の痛みの広がりを防ぐために、胸部固定サポートベルトが、欧州特許第０２６０３５１号から知られており、ここには、胸部を部分的に囲むベルトを有するハーネスが記載されている。このベルトは、肩ストラップによって患者に支持され、２つの自由端部を有し、これら自由端部の各々が、ベルトをぴんと張り、かつ胸部からの圧迫を軽減させるために、患者によって片手で把持されることができるハンドルを有する。
【０００４】
既知の胸部固定ストラップは、ベルトの端部部分の位置が規定されておらず、また、それぞれの肩ストラップが患者に対してこのストラップを適切に位置決めすることを必要とするという欠点を有する。これは、適用するのが難しく、ストラップの見える範囲が大きいストラップをもたらし、患者の見た目に好ましくない影響を及ぼしうる。さらに、ストラップの端部が独立して自由に動くので、既知のストラップの引張方向は、規定されておらず、この結果、限定的な締め付け力（squeezing force）が、できるだけ効果的であるようにして加えられることができない。
【発明の概要】
【０００５】
本発明の目的は、患者の胸部の周りに容易に取着されることができ、かつ、片手で容易に動作されることができる胸部サポートストラップを提供することである。本発明のさらなる目的は、患者に目立たずに着用されることができるストラップを提供することである。さらに、本発明の目的は、締め付け位置に固定されることができ、かつ、素早く取り外されることができるストラップを提供することである。
【０００６】
本発明に係る胸部サポートベルトは、使用の際、ベース部材のコネクタ端部部分に第１の端部で接続されるストラップを具備し、前記ストラップの第２の端部は、摺動グリップに取着され、かつ、前記ベース部材のガイド端部部分からガイドされ、ガイド端部部分は、前記ベース部材のガイド面を覆って、前記コネクタ端部部分の方向に、ローラ部材まで、及び、前記ローラ部材に沿って、前記ガイド端部部分の方向に戻るように、前記コネクタ端部部分に対向して配置され、前記摺動グリップは、前記ベース部材に沿って摺動されることができ、前記ベース部材は、前記ガイド端部部分の近くに、ベース部材の前記ガイド面に固定された固定グリップを有し、前記ストラップの引っ張られていない状態で、固定グリップが、前記摺動グリップから５ないし２５ｃｍの、好ましくは１０ないし２０ｃｍの間隔のところに配置されている。
【０００７】
ストラップの両端部を取り付けて、グリップ部材のガイド端部部分に向かって戻るように、ベース部材に対してループによって一方の端部をガイドすることによって、患者は、引っ張られていない状態で胸部の周りにストラップを容易に置くことができ、また、ベース部材の摺動グリップ及び固定グリップを片手で把持することによって、ベース部材に沿ってローラ部材の周りでこれを引っ張ることによりストラップを締め付ける（ぴんと張る）ように、掌に向かって指を握る。このようにして、規定された引張力が胸部に及ぼされることができる。胸部への圧迫がなくなったとき、例えば、くしゃみの後、患者は、ストラップのグリップ部分を取り外すことができ、そのより大きな周囲の寸法に緩み及び広がりを与えることができる。患者の胸部の周りに閉じたストラップを使用することによって、本発明のベルトは、さらなる肩ストラップの必要なく、その適切な位置にとどまることができる。
【０００８】
一実施の形態では、前記摺動グリップは、スリットを有し、前記ストラップは、このスリットを通してガイドされ、前記スリットは、前記ストラップの幅とほぼ同じ幅を有する。ストラップを覆っているグリップを摺動させることによって、ストラップは、レールとして機能し、グリップの幅は、ストラップのほぼ同じ幅にとどまることができる。さらに、代わりに、ベース部材のセクションに沿って前記ストラップを覆っている摺動グリップをガイドすることによって、フェールセーフかつ簡単なメカニズムを提供し、これは、ベース部材の妨害及び傾きを回避する。前記ストラップは、前記ローラ部材に向かって、前記ガイド端部部分から前記ベース部材の第２のスリットを通ってガイドされることができる。
【０００９】
胸部サポートベルトの容易な連結のために、前記ベース部材は、前記コネクタ端部部分の近くに、第１のコネクタ部材を有することができ、この第１のコネクタ部材は、前記ストラップの前記第１の端部に取着された第２のコネクタ部材と協働する。このストラップは、簡単かつ力が小さいようにして、胸部の周りに固定されることができる。
【００１０】
引っ張られた状態で、両手を用いてベルトを保つことができるために、本発明に係る胸部サポートベルトの前記ベース部材は、前記ローラ部材の近くに、枢動レバーを有することができ、この枢動レバーは、前記ローラ部材とクランプ係合するように、クランピング面に対して枢動されることができる。
【００１１】
下にある傷に触れずにベース部材を保つために、前記ベース部材は、支持面を規定している第１及び第２の端部と、前記支持面から所定の間隔のところに配置された中間セクションと備えた湾曲面を有することができる。
【図面の簡単な説明】
【００１２】
【図１】図１は、取り外された状態における本発明に係る胸部サポートベルトの３次元図である。
【図２】図２は、図１に示されるサポートベルトのベース部材及びグリップの詳細な横断面図である。
【図３】図３は、閉じた状態におけるベース部材及びコネクタ部材の斜視図である。
【図４】図４は、患者の胸部にベルトを適用した後の胸部サポートベルトの引っ張り動作を概略的に示している。
【図５】図５は、本発明の胸部サポートベルトのロック機能を概略的に示している。
【発明を実施するための形態】
【００１３】
図１は、ストラップ２及びベース部材３を有する胸部サポートベルト１を示している。ストラップ２は、第１の端部５でベース部材３のコネクタ端部部分９に取着されることができるコネクタ部材７を有する。ストラップ２は、さらに、詳細には図示されない長さ調節手段１１を有し、この長さ調節手段のところで、ストラップ２が、バックルに沿ってループされ、ベルクロ（商標）ファスナによってそれ自体に固定される。第２の端部１９では、ストラップは、摺動するようにしてベース部材３に接続される。
【００１４】
適切な長さに調節した後、初回の使用に先立って、患者の胸部のサイズに応じて、ストラップ２は、第１のコネクタ部材７と第２のコネクタ部材１３との係合によって閉じられることができ、これは、所定の位置で簡単にクリックされる。ベルト１の締め付けは、摺動グリップ１５の片手動作で、ベース部材３に対して固定グリップ１７に向かって摺動グリップ１５を動かすことによって生じることができる。ストラップ２を締め付けたとき、患者は、摺動グリップ１５のまっすぐな縁部の後ろに３本又は４本の指を掛けながら、固定グリップ１７に対して自分の手の掌を置き、手を閉じて握る（ぎゅっと引く）。これによって、ストラップ２の第２の端部１９は、ローラ部材の周りで、ベース部材３のガイド端部部分２１の方向に、ベースに引っ張られて、ストラップ２が患者の胸部の周りに締め付けられる。
【００１５】
図２は、ベース部材３には、コネクタ端部部分９の近くに、第１のガイド突出部２２と、突条部（ledge）２３と、背部（ridge）２４とを有する第１のコネクタ部材１３が設けられていることを示している。接続の際には、第１のコネクタ部材７のリップ２５が、突出部２２の下で摺動されることができ、この結果、スリット２６が突条部２３を収容し、鋭い突条部２３が、第１のコネクタ部材７の縦側開口部（vertical side）２７と係合する。
【００１６】
ストラップ２の第２の端部は、ローラ部材３５に、湾曲しているガイド面３３に沿って、固定グリップ１７のスリット３０、３１によってガイドされる。ローラ部材３５は、固定される、又はベース部材３の支持部に回転するようにして接続されることができる金属製の円筒ピンであることができる。このピンは、固定される場合には滑らかな面を有することができ、もしくは、装着されているときに回転するようにして輪郭形状が定められることができる。ストラップ２の端部のセクションは、固定グリップ１７の方向にローラ部材３５に沿って戻るようにループされて、摺動グリップ１５に取着される。摺動グリップ１５は、摺動グリップ１５のスリット３８を通過するストラップ２に沿って、ガイド面３３にわたって動かされることができ、このスリットは、ストラップ２の幅とほぼ同じ幅である。
【００１７】
止め部材３９は、摺動グリップ１５の動きをブロックするために、ストラップ２に設けられており、この結果、固定グリップ１７と摺動グリップ１５との間の間隔Ｄは、患者のグリップの長さよりも長くなく、患者の手のサイズに応じて、５〜２５ｃｍ、好ましくは約１０ｃｍであることができる。
【００１８】
枢動レバー４２は、枢動点４３に取着され、クランピング面４４がストラップ２と係合されるように、患者によって矢印Ｌの方向に引っ張られることができ、ローラ部材３５に対してストラップを留める。レバー４２を解放した後、これは、まっすぐな位置にとどまり、患者の胸部の周りに締め付け状態でストラップ２を保つので、この結果、患者が、ストラップの締め付け以外の作業のために両手を利用可能である。ストラップの張力は、レバー４２を下に向かって押し下げることによって、素早く解放されることができる。
【００１９】
ベース部材３は、中空の湾曲形状であり、胸部に支持される第１及び第２の端部５０、５１と、ベース部材３が胸部にある傷と接触するのを防ぐために、（図面に破線で示される）平坦な支持面５３から間隔をおいて配置された中間セクション５２とを有する。
【００２０】
図３は、第１及び第２のコネクタ部材７、１３が連結されている動作状態におけるベース部材３を示している。
【００２１】
図４は、矢印Ｔの方向に摺動グリップ１５を動かすことによって、ストラップ２が固定グリップ１７の方向Ｐでローラ部材３５の周りにどのように引っ張られるかを概略的に示しており、この結果、ベルト２が締め付けられる。グリップ１５、１７の人間工学に基づくデザインは、胸部への圧迫が軽減されるまで、より長期間の間締め付けられた状態で患者がストラップを容易に保持することを可能にする。
【００２２】
図５は、枢動レバー４２の機能を概略的に示しており、このレバーは、ローラ部材３５に対してストラップ２を留めるために、レバーを矢印Ｌの方向に上向きに引っ張ることにより動作される。レバー４２を解放した後、これは、ローラ部材３５とクランプ係合したままとどまり、この結果、グリップ１５、１７が解放されたときでさえも、ストラップ２が張力下にとどまる。
【図１】
2012514489.tif 000003
【図２】
2012514489.tif 000004
【図３】
2012514489.tif 000005
【図４】
2012514489.tif 000006
【図５】
2012514489.tif 000007
【国際調査報告】
2012514489.tif 000008
2012514489.tif 000009
2012514489.tif 000010